(57)【要約】【課題】視点位置に応じて見栄えが変化する模様が形成される新規発光見栄えの灯具を提供する。【解決手段】凹反射面を有する凹部光学系と、凸部光学系と、複数の光源を備えた灯具において、前記凸部光学系は凸反射面を前記凹部反射面の底部に配置しており、前記複数の光源は、前記凸反射面の周囲の前記凹反射面上に環状に配置されており、これらの光源から照射された光は凹部光学系に設けたインナーレンズを通った後に、一部は前記凸反射面に向かって進む。前記凸反射面は、頂点及び灯具光軸を通る平面で切断した場合に、直線又は外側に膨らんだ曲線が現れる凸反射面として形成されている。前記凸反射面には、光源非点灯時および点灯時のどちらの場合も前記インナーレンズが写り込むように配置されていることを特徴とする。【選択図】  図１
2011258475.tif 000002
【特許請求の範囲】
【請求項１】
凹反射面を有する凹部光学系と、凸部光学系と、複数の光源を備えた灯具において、
前記凹部光学系は、光透過性を有するインナーレンズと、インナーレンズに対応する開口部を設けたリフレクタと、前記インナーレンズを通過して灯具前方に光を照射する第２の光源とを備え、
前記凸部光学系は、光透過性を有する凸反射面と、前記凸反射面を通過して灯具前方に光を照射する第１の光源とを備え、前記凹部光学系の凹み内に配設されており、
前記インナーレンズは、灯具の正面前方から観視したときに、前記凸反射面に写り込むように配置され、
前記凸反射面は、頂点を通る平面で切断した場合に、直線又は外側に膨らんだ曲線が現れる凸反射面として形成されていることを特徴とする灯具。
【請求項２】
第１リフレクタ、第２リフレクタ、第１光源、複数の第２光源、インナーレンズおよび凸反射面を備えた灯具であって、
前記第１リフレクタは、凹反射面および複数の開口部を含んでおり、
前記第２リフレクタは、第１光源反射面、第２光源反射面および第２光源取り付け部を含んでおり、
前記インナーレンズは、前記第１リフレクタの開口部に設けられており、
前記第１光源は、前記凸反射面と前記第２リフレクタの間の空間に臨んで設けられており、
前記第２光源取付部は、第２光源を光軸を外側に向けた状態で配置するとともに、第１リフレクタと第２リフレクタの間の空間に臨んで設けられており、
前記凸反射面は、前記凹反射面の凹み内に配置されており、
前記インナーレンズは、前記凸反射面に写り込むように、前記凸反射面の周囲に配置されており、
前記凸反射面は、頂点及び灯具光軸を通る平面で切断した場合に、直線又は外側に膨らんだ曲線が現れる凸反射面として形成されていることを特徴とする灯具。
【請求項３】
前記第１光源反射面は、当該第１光源反射面に到達した前記第１光源からの照射光を、前記凸反射面を介して灯具照射方向に照射する反射面であり、
前記第２光源反射面は、当該第２光源反射面に到達した前記第２光源からの照射光を、当該第２反射面に対応して設けられた前記インナーレンズに向けて反射する反射面であり、
前記インナーレンズを通る第２光源からの照射光は、前記凸反射面、前記第１リフレクタの凹反射面および灯具正面方向に向けて照射することを特徴とする請求項２に記載の灯具。
【請求項４】
前記凸反射面が、当該凸反射面の頂点が灯具光軸と一致するように中央に設けられた一つの反射面であり、ハーフミラーとされていることを特徴とする請求項１または請求項２に記載の灯具。
【発明の詳細な説明】
【技術分野】
【０００１】
本発明は灯具に係り、特に車両用信号灯具や車両用信号灯具以外の一般照明などに適用可能な新規発光見栄えの灯具に関する。
【背景技術】
【０００２】
従来、凸反射面を用いた車両用灯具が知られている（例えば特許文献１参照）。
【０００３】
図１５は、特許文献１に記載の車両用灯具の構成を説明するための断面図である。
【０００４】
図１５に示すように、特許文献１に記載の車両用灯具９００は、中央に配置された凸反射面９１０、凸反射面９１０の周囲に環状に配置された複数のＬＥＤ光源９２０、前面レンズ９３０などを備えている。
【０００５】
特許文献１に記載の車両用灯具９００においては、凸反射面９１０は、焦点がＬＥＤ光源９２０近傍に設定された放物線Ｃを、光軸ＡＸを中心に回転させた結果得られる回転放物面系の反射面として形成されている。このため、凸反射面９１０に到達したＬＥＤ光源９２０からの照射光は、当該凸反射面９１０で平行光線に変換され、前面レンズ９３０を透過し、図１５中矢印で示す方向に照射されることとなる。
【０００６】
【特許文献１】特開２００２−３４３１１１号公報
【発明の開示】
【発明が解決しようとする課題】
【０００７】
しかしながら、特許文献１に記載の車両用灯具９００においては、図１５に示すように、凸反射面９１０を頂点を通る平面で切断した場合に外側に凹んだ曲線である放物線Ｃが現れる円錐形状の反射面であるため、凸反射面９１０にＬＥＤ光源９２０がほとんど写り込まない（又は極めて小さく写り込む）。このため、特許文献１に記載の車両用灯具９００によっては、ＬＥＤ光源９２０の発光見栄えが画一化し、新規発光見栄えの灯具を提供することが難しいという問題がある。
【０００８】
本発明は、このような事情に鑑みてなされたものであり、視点位置に応じて見栄えが変化する模様が形成される新規発光見栄えの灯具を提供することを目的とする。
【課題を解決するための手段】
【０００９】
上記課題を解決するため、請求項１に記載の発明は、凹反射面を有する凹部光学系と、凸部光学系と、複数の光源を備えた灯具において、
前記凹部光学系は、光透過性を有するインナーレンズと、インナーレンズに対応する開口部を設けたリフレクタと、前記インナーレンズを通過して灯具前方に光を照射する第２の光源とを備え、
前記凸部光学系は、光透過性を有する凸反射面と、前記凸反射面を通過して灯具前方に光を照射する第１の光源とを備え、前記凹部光学系の凹み内に配設されており、
前記インナーレンズは、灯具の正面前方から観視したときに、前記凸反射面に写り込むように配置され、
前記凸反射面は、頂点を通る平面で切断した場合に、直線又は外側に膨らんだ曲線が現れる凸反射面として形成されていることを特徴とする。
【００１０】
請求項１に記載の発明によれば、凸反射面は、頂点及び灯具光軸を通る平面で切断した場合に、外側に膨らんだ曲線（又は直線）が現れる凸反射面として形成されている。このため、請求項１に記載の発明によれば、インナーレンズが凸反射面に写り込み、当該凸反射面に写り込んだ虚像が拡大され（又は縮小されず）、視点位置に応じて見栄えが変化する模様が形成されることとなる。すなわち、請求項１に記載の発明によれば、視点位置に応じて見栄えが変化する模様が形成される新規発光見栄えの灯具を提供することが可能となる。
【００１１】
請求項２に記載の発明は、第１リフレクタ、第２リフレクタ、第１光源、複数の第２光源、インナーレンズおよび凸反射面を備えた灯具であって、
前記第１リフレクタは、凹反射面および複数の開口部を含んでおり、
前記第２リフレクタは、第１光源反射面、第２光源反射面および第２光源取り付け部を含んでおり、
前記インナーレンズは、前記第１リフレクタの開口部に設けられており、
前記第１光源は、前記凸反射面と前記第２リフレクタの間の空間に臨んで設けられており、
前記第２光源取付部は、第２光源を光軸を外側に向けた状態で配置するとともに、第１リフレクタと第２リフレクタの間の空間に臨んで設けられており、
前記凸反射面は、前記凹反射面の凹み内に配置されており、
前記インナーレンズは、前記凸反射面に写り込むように、前記凸反射面の周囲に配置されており、
前記凸反射面は、頂点及び灯具光軸を通る平面で切断した場合に、直線又は外側に膨らんだ曲線が現れる凸反射面として形成されていることを特徴とする。
【００１２】
請求項２に記載の発明によれば、凸反射面は、頂点及び灯具光軸を通る平面で切断した場合に、外側に膨らんだ曲線（又は直線）が現れる凸反射面として形成されている。このため、請求項４に記載の発明によれば、複数の発光体が凸反射面に写り込み、当該凸反射面に写り込んだ虚像が拡大され（又は縮小されず）、視点位置に応じて見栄えが変化する模様が形成されることとなる。
【００１３】
また、請求項２に記載の発明によれば、第１光源から照射され、第２リフレクタの第１光源反射面に到達した照射光は、当該第１光源反射面で反射され、凸反射面を透過して照射され、第１配光パターン（特に、好適には車両用信号灯具に適した配光パターン）を形成することとなる。
また、請求項２に記載の発明によれば、第２光源から照射され、第２リフレクタの第２光源反射面に到達した照射光は、当該第２光源反射面で反射され、インナーレンズを透過し、一部の光が凸反射面に到達する。この凸反射面に到達した照射光は、さらに凸反射面で反射され、第１配光パターンに重畳される第２配光パターン（特に、好適には凸反射面で拡大されたワイドな車両用信号灯具に適した配光パターン）を形成することとなる。
【００１４】
すなわち、請求項２に記載の発明によれば、視点位置に応じて見栄えが変化する模様が形成されるとともに、所定配光パターン（特に、車両用信号灯具に適した配光パターン）を形成することが可能な新規発光見栄えの灯具を提供すること（新規見栄えと所定配光パターンの両立）が可能となる。
【００１５】
請求項３に記載の発明は、請求項２に記載の発明において、前記第１光源反射面は、当該第１光源反射面に到達した前記第１光源からの照射光を、前記凸反射面を介して灯具照射方向に照射する反射面であり、
前記第２光源反射面は、当該第２光源反射面に到達した前記第２光源からの照射光を、当該第２反射面に対応して設けられた前記インナーレンズに向けて反射する反射面であり、
前記インナーレンズを通る第２光源からの照射光は、前記凸反射面、前記第１リフレクタの凹反射面および灯具正面方向に向けて照射することを特徴とする。
【００１６】
請求項３に記載の発明によれば、凸反射面は、頂点及び灯具光軸を通る平面で切断した場合に、外側に膨らんだ曲線（又は直線）が現れる凸反射面として形成されている。また、インナーレンズを通る第２光源からの照射光は、前記凸反射面、前記第１リフレクタの凹反射面および灯具正面方向に向けて照射する。このため、請求項３に記載の発明によれば、インナーレンズが凸反射面に写り込み、当該凸反射面に写り込んだインナーレンズの虚像が拡大され（又は縮小されず）、視点位置に応じて見栄えが変化する模様が形成されることとなる。すなわち、請求項３に記載の発明によれば、視点位置に応じて見栄えが変化するインナーレンズの形状の模様が形成される新規発光見栄えの灯具を提供することが可能となる。
【００１７】
請求項４に記載の発明は、前記凸反射面が、当該凸反射面の頂点が灯具光軸と一致するように中央に設けられた一つの反射面であり、ハーフミラーとされていることを特徴とする。
【００１８】
請求項４に記載の発明によれば、ハーフミラーとされた凸反射面には、第１光源の点灯状態においては、第１光源からの光を透過することができ、その照射光により所定配光パターンを形成する。また、第２光源の点灯状態においては、インナーレンズを介した第２光源からの光を反射することができ、それにより所定配光パターンを形成する。第２光源の非点灯状態においては、インナーレンズおよび凹反射面を凸反射面が写りこむ。これにより、インナーレンズの形状の虚像が拡大され（又は縮小されず）、わずかの視線移動で見栄えが非常に大きく変化する模様が形成されることとなる。すなわち、請求項４に記載の発明によれば、わずかの視線移動で見栄えが非常に大きく変化する模様が形成されるとともに、所定配光パターン（特に、車両用信号灯具に適した配光パターン）を形成することが可能な新規発光見栄えの灯具を提供することが可能となる。
【発明の効果】
【００１９】
本発明によれば、視点位置に応じて見栄えが変化する模様が形成される新規発光見栄えの灯具を提供することが可能となる。
【図面の簡単な説明】
【００２０】
【図１】本発明の第１の実施の形態である灯具の斜視図である。
【図２】図１に示した灯具の部品構成図である。
【図３】図１に示した灯具の拡大断面図である。
【図４】凸反射面６１の決定方法を説明するための図である。
【図５】凸反射面６１の決定方法を説明するための図である。
【図６】凸反射面６１の決定方法を説明するための図である。
【図７】凸反射面６１の決定方法を説明するための図である。
【図８】本発明の第２の実施の形態である灯具を示すの部品構成図である。
【図９】図８に示した灯具の拡大断面図である。
【図１０】本発明の第２の実施の形態である灯具の変形例を示す拡大断面図である。
【図１１】本発明の第２の実施の形態である灯具の他の変形例を示す拡大断面図である。
【図１２】本発明の第２の実施の形態である灯具の他の変形例を示す拡大断面図である。
【図１３】図１２のＢ部を拡大して示す断面図である。
【図１４】本発明の第２の実施の形態である灯具の他の変形例を示す斜視図である。
【図１５】従来の車両用灯具の構成を説明するための断面図である。
【発明を実施するための最良の形態】
【００２１】
以下、本発明の一実施形態である灯具について図面を参照しながら説明する。
【００２２】
図１は、本発明の一実施形態である灯具の斜視図である。図２は、図１に示した灯具の部品構成を示す斜視図である。図３は、図１に示した灯具のＡＡ線に沿った断面図である。
【００２３】
本実施形態の灯具１００は、テールランプなどの車両用信号灯具や車両用信号灯具以外の一般照明などに適用されるものである。凹部面２０ａを備えた第２リフレクタ２０と、第２リフレクタの凹部側２０ａ上に配置するインナーレンズ４０と、インナーレンズ４０を第２リフレクタとで挟み込む第１リフレクタ１０と、中央部に設けられた凸形状のキャップ６０を備える。また、キャップ６０の背面側には白熱電球等のバルブタイプの第１光源３１を備え、第１光源の周囲には第１光源よりも小型のＬＥＤ（発光ダイオード）からなる第２光源３２を複数備えている。
【００２４】
図３に示すように、第１光源３１から出射した光は第２リフレクタ２０の第１反射面２１にて反射した後、キャップ６０を通過して出射する。第２光源３２から出射した光は第２リフレクタ２０の第２反射面２２にて反射した後、インナーレンズ４０を通過して出射する。
【００２５】
次に図２に示す部品構成を参照しながら組立順に沿って説明する。
最初に第２リフレクタ２０、第２光源３２、インナーレンズ４０、キャップ６０および第１リフレクタ１０を用意する。第２リフレクタ２０に第２光源３２を取り付けた後、インナーレンズ４０、キャップ６０および第１リフレクタ１０の順に第２リフレクタ２０と組合わせる。
【００２６】
（第２リフレクタ２０）
第２リフレクタ２０は、図２、図３に示すように中央が窪んだカップ形状をなしている。外周部には、インナーレンズ４０および第１リフレクタ１０を所定位置にて嵌合させるための接合溝２５が段差として形成されており、接合溝２５には位置決め用の３個の突起２４を備える。また、中央には、第１光源取り付け孔２８が設けてあり、その周囲の凹部側２０ａには、第１光源取付孔２８と同軸として第１反射面２１および第２反射面２２が形成されている。
【００２７】
第１反射面２１は、例えば第１光源３１を焦点位置とする回転放物面として形成される。これにより第１光源３１からの照射光Ｌ１を、光軸方向、すなわち灯具の中心軸、と平行な光線として灯具照射方向に向けて反射する。これにより、焦点位置、すなわち第１光源３１からの照射光を灯具光軸に平行な光として反射する。なお、焦点位置を第１光源３１と一致する場合に限るものではなく、その近傍とすることで、灯具光軸ＡＸに完全に平行なものでなく、ほぼ平行な反射光とすることができる。第１反射面２１にて反射した光は、第１光源を覆うように設けられるキャップ６０を通過して灯具前方に照射される。
【００２８】
第２反射面２２は、複数の反射面からなり、第１リフレクタ１０に設けられた複数の周囲開口Ｈに対応する反射面である。本実施形態では、第２光源３２と同数、すなわち９個の反射面からなる（図２参照）。各々の第２反射面２２は、図３に示すように、当該第２反射面２２に到達した第２光源３２からの照射光Ｌ２を、当該第２反射面２２に対応して設けられたインナーレンズ４０に向けて反射する。例えば、第２光源３２を焦点位置とする回転放物面とする。
【００２９】
第２光源取り付け部２３は、図２および図３に示すように、第１反射面２１と第２反射面２２の間であって、第１光源３１を中心とした環状リブの立壁であり、その裏面側が第１反射面２１とされている。立壁側、すなわち第２反射面２２側には第２光源３２を固定するための第２光源固定部２３ａが９箇所設けられている。第２光源固定部２３ａは平坦面とされ、第２光源３１を所定の位置にするための図示しないボスが設けられている。
【００３０】
（第２光源３２）
第２光源３２は、例えば、単色又はＲＧＢ三色の一つ又は複数のＬＥＤチップをパッケージ化したＬＥＤパッケージなどのＬＥＤ光源や白熱電球などのバルブ光源である。各第２光源３２は、ＬＥＤ光源である場合、例えば、図２および図３に示すように、光軸（照射方向）を外側に向けた状態で環状に配置し、第２光源取り付け部２３に９個配置する。
【００３１】
（インナーレンズ４０）
インナーレンズ４０には、第１リフレクタ１０に設けられた開口Ｈに適合する複数の突出レンズ４１、中央開口４２、中央開口フランジ４３、周囲フランジ４４および位置決め突起４５が設けてある。例えば、アクリルやポリカーボネイトなどの透明又は半透明材料を射出成型することにより一体的に形成されている。
【００３２】
第１光源３１からの照射光は突出レンズ４１を通って外部に照射される。各々の突出レンズ４１の内面（第２リフレクタ２０側の表面）には、所定のレンズカットが形成されている。レンズカットはすりガラスのような拡散カットが設けてあり、第１光源３１からの照射光が入射することで発光する発光部として認識されると共に、後述する第１リフレクタの凹反射面１１にも拡散光が到達し、突出レンズ４１のみならずの凹反射面１１からも光が出射方向に向かうようになっている。
また、インナーレンズ４０は、好適には全面が均一に光るようにシボ加工などの拡散処理を施すと良く、所定の配光パターンを形成するようにレンズカットを部分的に形成することが好ましい。第１リフレクタ１０の開口Ｈに対応するインナーレンズ４０の全面が均一に発光することでインナーレンズ４０が擬似的な発光体として視認される。それにより、インナーレンズ４０と凹反射面１１とのコントラストが明瞭化され、凸反射面に写りこむインナーレンズ４０の輪郭形状（開口Ｈの輪郭形状）が、明確な模様として観察され易くすることができるからである。
【００３３】
突出レンズ４１は、例えば、図１および図２に示すように、鋭角の端部４０ａを含んだ面形状と、扇形状の一部からなる面形状４０ｂとが離間して配置されている。これらの形状は、凹反射面１１上に環状に配置されている。具体的には、突出レンズ４１は、図１に示すように、鋭角の端部４０ａを凹反射面１１の外周縁１１ａ寄りに位置するようにし、且つ、凹反射面１１に形成された開口Ｈに挿入可能に灯具照射方向前方に突出して形成されている。同一形状の突出レンズ４１を周方向にほぼ等間隔で配置するものとしても良い。
【００３４】
中央開口４２は、第２光源３２からの照射光が通過する。中央開口４２の上には円錐形状のキャップ６０が配置される。中央開口４２内には前記した第１光源３１が位置する。これにより、第１光源３１からの照射光は第１反射面２１にて反射した後に中央開口４２およびキャップ６０を通って所定の配光パターンを形成する。
【００３５】
中央開口フランジ４３は、中央開口４２の周囲に設けられる。中央開口フランジ４３と第１リフレクタ１０とでキャップ６０の外周を挟み込んで固定する。
【００３６】
周囲フランジ４４は第２リフレクタの外周と同じ形状としている。また、位置決め突起４５が外周方向に３個形成されている。位置決め特許４５は、第２リフレクタ２０の位置決め突起４５と同一位置となるように形成されている。
【００３７】
（第１リフレクタ１０）
第１リフレクタ１０は、凹反射面１１、底部開口１２および開口Ｈを備えている。凹反射面１１は、例えば、正面視略円形で、所定深さ（例えば１５ｍｍ）の凹面境（例えば回転放物面）であり、表面にアルミニウム蒸着反射膜などが形成されている。凹反射面１１の凹面鏡底部（中央部）には底部開口１２が設けてある。底部開口１２にはキャップ６０が配置される。開口Ｈには突出レンズ４１が配置される。第１リフレクタ１０には複数の開口Ｈが設けられる。各々の開口Ｈの形状は、対応するの突出レンズ４１が嵌合可能な大きさおよび形状とされる。
第１リフレクタ１０は、樹脂材料もしくは金属材料により形成される。凹反射面１１の反射率を高めるために、表面にアルミニウム蒸着を施すことが望ましい。
【００３８】
（キャップ６０）
キャップ６０は、アクリルやポリカーボネイトなどの透光性樹脂により射出成形などの方法で形成する。また、その表面にはアルミニウム膜を薄く形成する等の方法によりハーフミラーとされている。ハーフミラーとした凸反射面６１と外周フランジ６２を備え、外周フランジには位置決め用の切り欠き６２ａが設けてある。キャップ６０は、前記底部開口１２に配置する。
【００３９】
凸反射面６１は、図３に示すように、頂点及び灯具光軸（中心線）を通る平面で切断した場合に、外側に膨らんだ曲線Ｃ（又は直線）が現れる円錐形状の反射面として形成されている。凸反射面６１の形状については後述する。
【００４０】
凸反射面６１は、頂点及び灯具光軸を通る平面で切断した場合に、外側に膨らんだ曲線Ｃ（又は直線）が現れる円錐形状（又は多角錐形状）の反射面であり、例えば、円錐形状（又は多角錐形状）の透明部材（例えば、アクリル、ポリカーボネイト）の表面又は裏面にアルミニウムなどの金属による蒸着を行うことで、当該凸反射面６１に到達した光が透過可能な反射面として形成されている。反射面は全面に形成するものでも部分的に形成するものでも良い。好適には、第１リフレクタ１０の凹反射面１１と同系色のハーフミラーを形成すると良い。灯具正面にて観視される凹反射面１１と凸反射面６１を同系色とすることで灯具の一体感が強調されるからである。また、ハーフミラーとすることで非点灯時から想像される点灯フィーリングと、実際の点灯時との点灯フィーリングを異なるものとすることができるからである。
【００４１】
次に、凸反射面６１を決定する方法について説明する。凸反射面６１は、例えば、既存の光学設計プログラムを用いて以下のように決定される。
図４〜図７は、凸反射面６１の決定方法を説明するための写真を用いた原理説明図であり、灯具光軸に対して傾斜した斜め前方方向から観察した状態を示す。なお、この原理説明図において描くインナーレンズ４０の形状（開口Ｈ）の形状は、図１に示したものとは異なる形状としている。
【００４２】
まず、図４に示すように、各反射面（凹反射面１１、凸反射面６１など）の形状を定め、各反射面（凹反射面１１、凸反射面６１など）、インナーレンズ４０を配置する。図４は、凹反射面１１として所定深さ（例えば１５ｍｍ）の凹面境形状を採用し、凸反射面６１として円錐形状を採用した例である。
【００４３】
次に、図５に示すように、各インナーレンズ４０を凹反射面１１の底部中央側に移動させ、凸反射面６１に写り込んだ虚像により形成される模様４９を調整する。次に、図６に示すように、各インナーレンズ４０の高輝度部分を例えば赤色で着色し、凸反射面６１に写り込んだ虚像により形成される模様を確認する。次に、図７に示すように、凸反射面６１に写り込んだ虚像により形成される模様が所望の大きさになるまで、凸反射面６１を外側に湾曲させ、凸反射面６１に写り込んだ虚像により形成される模様４９を拡大する。以上のようにして、所望の大きさの模様が形成される凸反射面６１の形状を決定する。これにより、凸反射面６１は、図３に示すように、頂点及び灯具中心軸を通る平面で切断した場合に、外側に膨らんだ曲線Ｃ（又は直線）が現れる円錐形状の反射面として形成される。なお、模様４９は、各インナーレンズ４０がハーフミラーとした凸反射面６１に反射して形成されるものをいう。
【００４４】
上記した第１リフレクタ１０、インナーレンズ４０およびキャップ６０を用意する。インナーレンズ４０の中央開口フランジ４３上にキャップ外周フランジ６２を搭置する。切り欠き６１ａと、突出レンズの反対側端部４１ｂとが嵌合することで位置決めがなされる。その後、第１リフレクタ１０をキャップ６０をインナーレンズ４０とで挟持するように重ね合わせて組立る。
【００４５】
キャップ６０は、第１リフレクタ若しくはインナーレンズ４０と一体に形成するものとしても良い。一体にすることでキャップ６０を別途用意しなくてもすむので組立工数を低減することができる。また、その形状も円錐形状に限るものではなく、多角錐形状、円錐台形状などとしても良い。
【００４６】
（第１光源３１）
第１光源３１は、例えば、ハロゲンバルブなどの白熱電球を用いる。電球の形式などは問わない。例えばウエッジベース電球を用いた場合にはソケットにウエッジベース電球を取り付け、ソケットを設けた第１光源３１を第１リフレクタ２０の背面に設けた第１光源取り付け孔２８に背面側から取り外し可能に固定する。
【００４７】
以上説明したように、第１の実施の形態の灯具１００によれば、凸部光学系５０と凹部光学系５１の２種類の光学系を備えた灯具が得られる。凹部光学系５１は第２光源３２からの照射光をインナーレンズ４０を通して照射する光学系であり、第２光源３２、第２反射面２２およびインナーレンズ４０を含む。凸部光学系５０は第１光源３１からの照射光をキャップ６０を通して照射する光学系であり、第１光源３１、第１反射面２１およびキャップ６０を含む。
【００４８】
図３に示すように、凸部光学系５０の凸反射面６１は、頂点及び灯具中心軸（光軸）を通る平面で切断した場合に、外側に膨らんだ曲線Ｃが現れる円錐形状の凸反射面として形成されている。このため、本実施形態の灯具１００によれば、第１光源３１が非点灯のときおよび点灯したときに複数のインナーレンズ４０が凸反射面６１に多重化された状態で写り込み、当該凸反射面６１に写り込んだ虚像が拡大され、図９に示すように、視点位置に応じて見栄えが変化する模様（インナーレンズ４０が倍に見える）が形成されることとなる。なお、この模様は、凸反射面６１の形状を変えることで変化させることが可能である。
【００４９】
また、本実施形態の灯具１００によれば、図３に示すように、第１光源３１から照射され、第１反射面２１に到達した照射光Ｌ１は、当該第１反射面２１で反射され、凸反射面６１を透過して図３中Ｌ１で示す方向に照射され、第１配光パターン（特に、車両用信号灯具に適した配光パターン）を形成することとなる。また、凸反射面６１を透過した一部の光は、第１リフレクタ１０の凹反射面１１で反射され光Ｌ１’が配光パターンの一部を形成する。また、斜め方向からの視認性も向上させることができる。
【００５０】
本実施形態の灯具１００によれば、第２光源３１から照射され、第２反射面２２に到達した照射光Ｌ２は、当該第２反射面２２で反射され、インナーレンズ４０を透過して凸反射面６１に到達する。この凸反射面６１に到達した照射光Ｌ２は、さらにインナーレンズ４０で図３中Ｌ２で示す方向に反射され、第１配光パターンに重畳される第２配光パターン（特に、凸反射面６１で拡大されたワイドな車両用信号灯具に適した配光パターン）を形成することとなる。
【００５１】
すなわち、本実施形態の灯具１００によれば、凸反射面６１に写りこむ模様４９が、視点位置に応じて見栄えが変化するとともに、所定配光パターン（特に、車両用信号灯具に適した配光パターン）を形成することが可能な新規発光見栄えの灯具を提供することが可能となる。
【００５２】
また、本実施形態の灯具１００によれば、図１に示すように、インナーレンズ４０の鋭
角の端部４０ａを凹反射面１１の外周縁１１ａ寄りに位置させたので、当該インナーレンズ４０の鋭角の端部４０ａが凸反射面６１の先端に写り込み、非常にするどい形状の虚像が拡大され、わずかの視線移動で見栄えが非常に大きく変化する模様が形成されることとなる。
【００５３】
すなわち、本実施形態の灯具１００によれば、わずかの視線移動で見栄えが非常に大きく変化する模様が形成されるとともに、所定配光パターン（特に、車両用信号灯具に適した配光パターン）を形成することが可能な新規発光見栄えの灯具を提供すること（新規見栄えと所定配光パターンの両立）が可能となる。
【００５４】
また、凹反射面１１および凸反射面６１の双方を、同系色の銀色反射膜にて形成することで、凸反射面６１に写りこむ凹反射面１１も同じ銀色の金属反射色として観視される。これにより灯具１００全体を観察したときにおいて、銀色の金属反射色の中に、インナーレンズ４０と、凸反射面６１に写り込んだインナーレンズ４０の虚像の色彩がコントラストよく現われるものとなる。しかも、非点灯状態においては、銀色の金属反射色に観察される領域は、凹反射面１１および凸反射面６１の双方であり、各々の銀色の金属反射色には観察者もしくはその背景等の景色が湾曲して観察される。これにより、立体感のある灯具を提供することが可能となる。
【００５５】
次に、第２の実施の形態について説明する。
【００５６】
図８は、第２の実施の形態の灯具２００を示す分解斜視図である。第１の実施の形態と同一の構成には同一の符号を付し、ここでの詳細な説明を省略する。第１の実施の形態では、第１リフレクタ２０の背面に設けた第１光源取り付け孔２８にハロゲンバルブ等の白熱電球を第１光源３１を用いたが、第２の実施の形態では、ＬＥＤなどの点光源を用いる点が異なる。
【００５７】
本実施形態の灯具２００は、テールランプなどの車両用信号灯具や車両用信号灯具以外の一般照明などに適用されるものである。また、外観は図１に示す第１の実施の形態の灯具１００と同一である。第１の実施の形態の灯具１００と同様に、凹部面２０ａを備えた第２リフレクタ２２０と、第２リフレクタの凹部側２２０ａ上に配置するインナーレンズ４０と、インナーレンズを第２リフレクタと挟み込む第１リフレクタ１０と、中央部に設けられた凸形状のキャップ６０を備える。
以下、第２の実施の形態について、第１の実施の形態と異なる点について説明する。
【００５８】
第２リフレクタ２２０は、図８および図９に示すように中央が窪んだカップ形状をなしている。外周部には、インナーレンズ４０および第１リフレクタ１０を所定位置にて嵌合させるための接合溝２２５が段差として形成されており、接合溝２２５には位置決め用の３個の突起２２４を備える。
また、中央の窪みには、第２反射面２２０と、第２光源取り付け部２２３と、第１光源取り付け部２３２と、第１反射面２２１が形成されている。
【００５９】
第２光源取り付け部２２３および第１光源取り付け部２３２は、第２リフレクタ２２０の窪み内にて第２リフレクタ２２０を中心とした環状リブの立壁であり、環状リブ内周面に第１光源取り付け部２３２が、環状リブ外周面に第２光源取り付け部２２３が形成されている。また、第１光源取り付け部２３２および第２光源取り付け部２２３には図示しない給電用の配線が設けられている。
【００６０】
第１反射面２２１は、第２の実施形態においては３つの反射面が形成されている。各々の反射面は、例えば第１光源２３１を焦点位置とする回転放物面として形成される。これにより第１光源２３１からの照射光Ｌ３を、光軸方向、すなわち灯具の中心軸ＡＸ、と平行な光線として灯具照射方向に向けて反射する。なお、焦点位置を第１光源２３１と一致する場合に限るものではなく、その近傍とすることで、灯具光軸ＡＸに完全に平行なものでなく、ほぼ平行な反射光とすることができる。第１反射面２２１にて反射した光は、第１光源２３１を覆うように設けられるキャップ６０を通過して灯具前方に照射される。
【００６１】
第１光源２３１は、例えば、単色のＬＥＤチップ又は複数のＬＥＤチップをパッケージ化したＬＥＤパッケージなどの小型光源とする。この実施の形態では３個のＬＥＤパッケージを配設する。各第１光源２３１は、第１光源取り付け部２３２に配設される。
【００６２】
第２反射面２２は、第１の実施の形態と同様に、当該第２反射面２２に到達した第１光源３０からの照射光を、当該第２反射面２２に対応して設けられたインナーレンズ４０を介して凸反射面１２に向けて反射する反射面であり、例えば、第２リフレクタ２００の外周部に沿った内側側面に形成されており、本実施形態では各々の９個の反射面を備えている。
【００６３】
第２光源３２が点灯した場合、当該第２反射面２２に到達した光の一部の光Ｌ１は、第２反射面２２にて反射した後、インナーレンズ４０を通過した後、灯具の中心軸ＡＸと平行な光線として灯具照射方向に向けて反射する。また、他の一部の光Ｌ２は、第２反射面２２にて反射した後、インナーレンズ４０を通過し、キャップ６０に到達し、キャップ６０の凸反射面６１にて反射された後、中心軸ＡＸの方向に向けて反射する。
【００６４】
以上説明したように、第２の実施の形態の灯具２００においても、凸部光学系５０と凹部光学系５１の２種類の光学系を備えた灯具が得られる。凹部光学系５１は第２光源３２からの照射光をインナーレンズ４０を通して照射する光学系であり、第２光源３２、第２反射面２２およびインナーレンズ４０を含む。凸部光学系５０は第１光源２３１からの照射光をキャップ６０を通して照射する光学系であり、第１光源２３１、第１反射面２２１およびキャップ６０を含む。
【００６５】
図９に示すように、凸部光学系５０の凸反射面６１は、頂点及び灯具中心軸（光軸）を通る平面で切断した場合に、外側に膨らんだ曲線が現れる円錐形状の凸反射面として形成されている。このため、第１光源２３１が非点灯のときおよび点灯したときに複数のインナーレンズ４０が凸反射面６１に多重化された状態で写り込み、当該凸反射面６１に写り込んだ虚像が拡大される。これにより、視点位置に応じてキャップ６０に写りこむインナーレンズ４０の形状が変化する模様が観察されることとなる。なお、この模様は、凸反射面６１の形状やインナーレンズ４０の形状を変化させることが可能である。
【００６６】
また、第２の実施の形態の灯具２００によれば、図９に示すように、第１光源２３１から照射され、第１反射面２２１に到達した照射光Ｌ３は、当該第１反射面２２１で反射され、インナーレンズ４０を透過して灯具２００前方方向に照射され、第１配光パターン（特に、車両用信号灯具に適した配光パターン）を形成することとなる。
【００６７】
また、第２の実施の形態の灯具２００によれば、第２光源３２から照射され、第２反射面２２に到達した照射光Ｌ１およびＬ２は、当該第２反射面２２で反射され、インナーレンズ４０を透過した後、凸反射面６１に到達した後もしくは直接に灯具照射方向に向かって照射する。この凸反射面６１に到達する照射光Ｌ２は、インナーレンズ４０の開口形状を凸反射面に写しこむ。これらの光Ｌ１およびＬ２が、主に第１配光パターンに重畳される第２配光パターン（特に、凸反射面６１で拡大されたワイドな車両用信号灯具に適した配光パターン）を形成することとなる。
【００６８】
すなわち、第２の実施の形態の灯具２００によれば、凸反射面６１に写りこむ模様４９が、視点位置に応じて見栄えが変化するとともに、所定配光パターン（特に、車両用信号灯具に適した配光パターン）を形成することが可能な新規発光見栄えの灯具を提供することが可能となる。
【００６９】
次に、変形例について説明する。
【００７０】
図１０は、車両用灯具２０１を示す要部断面図である。車両用灯具２０１では、キャップ６０の内側にレンズカット６０ｂを形成する。他の構成については第２の実施の形態と同一の符号を付し、ここでの説明を省略する。レンズカット６０ｂは複数の凹状カットとすることで拡散配光パターンを形成する。キャップ６０を通過して照射光Ｌ４、Ｌ４’は光軸ＡＸに対し拡散した光となって照射する。これにより、配光パターンを拡げることができ、また、様々な光路の光を形成することで均一性を向上させることができる。
【００７１】
図１１は、車両用灯具２０２を示す要部断面図である。車両用灯具２０２では、キャップ６０の内側にレンズカット６０ｂを形成し、キャップ６０の外側にもレンズカット６０ａを形成している。他の構成については第２の実施の形態と同一の符号を付し、ここでの説明を省略する。レンズカット６０ｂは複数の凹状カットとすることで拡散配光パターンを形成する。レンズカット６０ａは複数の凸状カットとする。図１０の内面のみに拡散カット６０ｂを設けた場合に比較して、より一層拡散角度を拡げることができる。これにより、車両用灯具の側方からの視認性が向上すことができる。
【００７２】
これら変形例の車両用灯具２０１および２０２によっても、視点位置に応じて見栄えが変化する模様が形成されるとともに、所定配光パターン（特に、車両用信号灯具に適した配光パターン）を形成することが可能な新規発光見栄えの灯具を提供することが可能となる。
【００７３】
また、上記キャップ６０の内面に形成するレンズカット６０ｂを屈折カットでなく、反射カットとすることもできる。図１２および図１３は反射カットをキャップ６０に設けた車両用灯具２０３の一例を示す要部断面図である。
【００７４】
車両用灯具２０３では、キャップ６０の内側に反射カット６０ｃを形成している。反射カット６０ｃは、図１３に示すように図面下側から入射した光を、臨界角以上の角度の傾斜面とすることで全反射させる。反射カット６０ｃにて反射した光はレンズ６０を通過して第１リフレクタ１０に到達し、凹反射面１１にて反射され、反射光Ｌ６を照射する。すなわち、車両用灯具２０３の中央に位置する凸部光学系の背面から第２光源光が視認されることはない。これにより、キャップ６０には、点灯時および非点灯時のどちらの場合もインナーレンズ４０および凹反射面１１が写りこむことになる。よって、凸反射面６１に写りこむ模様が、視点位置に応じて見栄えが変化するとともに、所定配光パターン（特に、車両用信号灯具に適した配光パターン）を形成することが可能な新規発光見栄えの灯具を提供することが可能となる。
【００７５】
図１４は、車両用灯具３００を示す要部断面図である。車両用灯具３００では、キャップ６０を多角錐形状とし、また、開口Ｈの形状、すなわちインナーレンズ４０を鋭角隅部がキャップ６０側と反対側の灯具外周部側としている。これにより、凸反射面に写りこむ虚像形状は、キャップ６０の頂点側に、インナーレンズの鋭角部が位置するようにして中心に先細り形状の模様として、より立体的な印象とした灯具とすることができる。
【００７６】
なお、この発明は前述した実施形態に限られるものではない。例えば、例えばキャップ６０を複数設けたり、着色するなどとした灯具も本発明に包含される。
【産業上の利用可能性】
【００７７】
例えば車両用のリアランプなどの車両用信号灯具、屋外設置用ダウンライトなどの照明用灯具等に適用できる。
【符号の説明】
【００７８】
１００,２００…灯具
１０…第１リフレクタ
１１…凹反射面
１１ａ 外周縁
１２…底部開口
２０…第２リフレクタ
２０ａ  凹部側
２１，２２１…第１反射面
２２，２２２…第２反射面
２３，２２３…第２光源取り付け部
２４，２２４…位置決め突起
２５、２２５…接合溝
２３２…第１光源取り付け部
２８…第１光源取り付け孔
３１，２３１…第１光源
３１ａ  パッケージ基板
３２…第２光源
３２ａ  パッケージ基板
４０…インナーレンズ
４０ａ…鋭角の端部
４０ｂ…面形状
４１…突出レンズ
４２…中央開口
４３…中央開口フランジ
４４…周囲フランジ
４５…位置決め突起
４９…模様
５０…凸部光学系
５１…凹部光学系
６０…キャップ
６１…凸反射面
６２…外周フランジ
６１ａ…切り欠き
Ｈ…周囲開口
【図１】
2011258475.tif 000003
【図２】
2011258475.tif 000004
【図３】
2011258475.tif 000005
【図８】
2011258475.tif 000006
【図９】
2011258475.tif 000007
【図１０】
2011258475.tif 000008
【図１１】
2011258475.tif 000009
【図１２】
2011258475.tif 000010
【図１３】
2011258475.tif 000011
【図１４】
2011258475.tif 000012
【図１５】
2011258475.tif 000013
【図４】
2011258475.tif 000014
【図５】
2011258475.tif 000015
【図６】
2011258475.tif 000016
【図７】
2011258475.tif 000017